【手続補正書】
【提出日】令和2年5月7日(2020.5.7)
【手続補正１】
【補正対象書類名】明細書
【補正対象項目名】全文
【補正方法】変更
【補正の内容】
【発明の詳細な説明】
【発明の名称】指止め輪付きの携帯電話／タブレットＰＣケース
【技術分野】
【０００１】
本発明は、指止め輪付きの携帯電話／タブレットＰＣケースであって、携帯電話又はタブレットＰＣの付属品である。
【背景技術】
【０００２】
現在、携帯電話やタブレットＰＣは、大きくなる一方である。画面が大きくなり閲覧しやすくなるが、片手で携帯電話又はタブレットＰＣを握って親指で操作することは、ますます難しくなり、うっかりして携帯電話又はタブレットＰＣを地面に落としてしまい、損壊を与えることがある。従来の各種の携帯電話又はタブレットＰＣケースは、保護機能、又は、電話又はタブレットＰＣを机に立てる機能のみを有し、片手のみで握って当該手の親指で便利に操作できるという問題を解決できない。
【先行技術文献】
【特許文献】
【０００３】
【特許文献１】米国特許出願公開第２０１２／０２６１９３０号明細書
【発明の概要】
【発明が解決しようとする課題】
【０００４】
本発明の目的は、指止め輪付きの携帯電話／タブレットＰＣケースを提供し、上記問題を解決することである。即ち、本発明の新規な指止め輪付きの携帯電話／タブレットＰＣケースにより、使用者は片手の手のひらで携帯電話／タブレットＰＣを持って、その手の親指でタッチパネルを容易かつ安全に操作することができる。
【課題を解決するための手段】
【０００５】
本発明の目的は、以下の設計により実現される。
【０００６】
指止め輪付きの携帯電話／タブレットＰＣケースであって、携帯電話／タブレットＰＣを収納するケース本体を含む。ケース本体の底部には、指止め輪が設けられる。前記指止め輪には、指を通すための複数の指孔を有する。指止め輪は、回転連結具を介してケース本体の底部の外表面に連結され、回転することができる。
【０００７】
請求項２に記載の指止め輪付きの携帯電話／タブレットＰＣケースにおいて、指止め輪の一端側が短いフレキシブル線で回転連結具の近くのケースの底部に連結され、指止め輪の開が制限されることを特徴とする、指止め輪付きの携帯電話／タブレットＰＣケース。
【０００８】
前記ケース本体は、弾性材から製造される。前記指止め輪は、ケース本体の底部自身の一部である。指止め輪は、周辺の一部が底部から分離され、周辺の別部分が底部に連結される。当該回転連結具が指止め輪とケース本体との間の弾性連結部になる。
【０００９】
前記ケース本体は、剛性材から製造され、前記回転連結具は、ヒンジである。
【発明の効果】
【００１０】
使用者が指を止め輪の指孔に挿入させて手のひらと協同することにより、携帯電話／タブレットＰＣをしっかり握ることができ、親指によるタッチパネルでの操作が自由になる。
【図面の簡単な説明】
【００１１】
【図１】本発明の指止め輪付きの携帯電話／タブレットＰＣケースの斜視図である。
【図２】図１に示すケース本体の背面図であり、指止め輪が中間部分に示される。
【図２ａ】当該指止め輪が外側へ回転したことを示す。
【図２ｂ】当該指止め輪がケース本体の底部にヒンジで連結されることを示す。
【図３】ケース本体の底部に２個の指止め輪を有し、内側へ回転すると閉、外側へ回転すると開になることを示す。
【図３ａ】ケース本体の底部に２個の指止め輪を有し、内側へ回転すると開、外側へ回転すると閉になることを示す。
【図４】ケース本体の底部に１個の指止め輪を有し、輪に２列の平行する指孔を有することを示す。
【図５】指止め輪の指孔に開閉可能の弁を有することを示す。
【図５ａ】図５に示す指止め輪と指孔の弁が開になったことを示す。
【図６】指止め輪の異なる形状、及び指孔の弁の異なる形状を示す。
【図６ａ】指止め輪の異なる形状、及び指孔の弁の異なる形状を示す。
【図６ｂ】指止め輪の異なる形状、及び指孔の弁の異なる形状を示す。
【図７】指止め輪の一端側がフレキシブル線でケース本体の底部に連結され、指止め輪の開を制限する図である。
【図７ａ】指止め輪の一端側がフレキシブル線でケース本体の底部に連結され、指止め輪の開を制限する図である。
【図８】指止め輪付きの携帯電話／タブレットＰＣケースの使用模式図である。
【図８ａ】指止め輪付きの携帯電話／タブレットＰＣケースの使用模式図である。
【発明を実施するための形態】
【００１２】
図１に示す指止め輪付きの携帯電話／タブレットＰＣケースは、辺２と底部３を有するボックス（ケース本体）１と、指止め輪４からなる。携帯電話／タブレットＰＣは、辺２に包まれるようにこのボックス１に収納される。
【００１３】
図２に示すように、底部３には、指止め輪４を有する。当該輪４は、長方形であり、底部３から切り取ってできるものであり、その３本の辺が底部３から切り離され、別の１本の辺が底部３に連結する。
当該指止め輪４は、楕円形や半月形等、ほかの形状であってもよい。
当該底部３が弾性材であるため、輪４は、底部３から回転して開閉することができる。輪４にある複数の指孔５は、正方形、長方形、円形又は半円形であり、その数が１個、２個、３個又は４個である。
【００１４】
図２ａに示すように、当該指止め輪４は、回転して、開になった。
【００１５】
図２ｂに示すように、当該指止め輪４は、ヒンジ６により底部３に連結される。当該指止め輪４は、回転して開になったが、閉にすることもできる。
【００１６】
図３に示すように、底部３に２個の指止め輪４を有し、外側へ回転すると開になり、内側に回転すると閉になる。
【００１７】
図３ａに示すように、底部３に２個の指止め輪４を有し、外側へ回転すると閉になり、内側に回転すると開になる。
【００１８】
図４に示すように、底部３に１個の指止め輪４を有し、指止め輪４に２列の平行する指孔５を有する。
【００１９】
図５、５ａに示すように、指止め輪４の指孔５には、弾性弁７も有し、弁７が開閉可能である。
【００２０】
図６、６ａ、６ｂに示すように、指止め輪４の形状は、長方形、半円形又は楕円形である。指孔５は、長方形、円形又は方形である。
【００２１】
図７に示すように、指止め輪４の一端側が短いフレキシブル線９で回転連結具１０の近くのケース本体の底部３に連結され、指止め輪４の開は、角度αに制限される。指止め輪４には、一つの指孔５を有し、または有さない。指止め輪４の開には、角度α制限が設けられるため、指止め輪付きの携帯電話／タブレットＰＣケースは、携帯電話／タブレットＰＣが机の上に立つように、支持する。使用者は、指や手のひらにより携帯電話／タブレットＰＣをしっかりとつかむことができ、その手の親指でタッチパネルを自由に操作できる。
【００２２】
図７ａに示すように、指止め輪４の一端側が短いフレキシブル線９でヒンジ６の近くのケース本体の底部３に連結され、指止め輪４の開には、角度α制限が設けられる。指止め輪４には、一つの指孔５を有し、または有さない。指止め輪４の開には、角度α制限が設けられるため、指止め輪付きの携帯電話／タブレットＰＣケースは、携帯電話／タブレットＰＣが机の上に立つように、支持する。使用者は、指や手のひらにより携帯電話／タブレットＰＣをしっかりとつかむことができ、その手の親指でタッチパネルを自由に操作できる。
【００２３】
図８、８ａは、指止め輪付きの携帯電話／タブレットＰＣケースの使用模式図である。片手の指で止め輪を掴んで手のひらと協同することで携帯電話／タブレットＰＣをしっかり掴むことができ、当該手の親指によるタッチパネルの操作が自由になることが、示されている。
【００２４】
指孔５の弁７が閉になることができるため、携帯電話／タブレットＰＣをかすり傷からより効果的に保護することができる。